(57)【特許請求の範囲】
【請求項１】
テレビ放送データを受信し、表示するテレビ受信表示部と、ネットワーク上の通信サーバと通信できる通信部と、テレビ放送の視聴を実現するために前記テレビ受信表示部を制御するテレビアプリケーションを、前記通信部を介してダウンロードして実行するテレビアプリケーション制御部と、を備えたテレビ受信機において、
前記テレビアプリケーション制御部は、
前記テレビ受信表示部へのアクセス権を持つテレビアプリケーションを判別するためのアクセス権情報が含まれたテレビ放送データを受信した場合、前記アクセス権情報を保存しておき、
前記通信部を介してダウンロードしたテレビアプリケーションが、テレビ放送の視聴を実現するために起動し、前記テレビ受信表示部へアクセスしようとする場合、前記保存しておいたアクセス権情報に基づいて、前記起動したテレビアプリケーションが前記テレビ受信表示部へのアクセス権を持つか否かを確認し、
前記起動したテレビアプリケーションが前記テレビ受信表示部へのアクセス権を持つ場合は、前記テレビ受信表示部へのアクセスを許可することを特徴とするテレビ受信機。
【請求項２】
前記テレビ受信表示部は、
テレビ放送局から受信した前記テレビ放送データに基づいて、画像および音声を出力する機能を有することを特徴とする請求項１記載のテレビ受信機。
【請求項３】
前記テレビアプリケーション制御部は、
前記テレビ放送データ中に含まれている前記アクセス権情報を登録するアクセス権登録部と、
前記アクセス権登録部により登録されたアクセス権情報を保存しておくアクセス権データベースと、
前記起動したテレビアプリケーションが前記テレビ受信表示部へのアクセス権を持つか否かを判別するアクセス権確認部と、
を有することを特徴とする請求項１または２に記載のテレビ受信機。
【請求項４】
前記アクセス権情報は、
前記通信部を介してダウンロードしたテレビアプリケーションの配信元である通信サーバを示すドメインリスト、または、前記通信部を介してダウンロードしたテレビアプリケーションの作者を示す作者証明書リストの何れかを含む情報であることを特徴とする請求項１から３の何れか１項に記載のテレビ受信機。
【請求項５】
携帯電話機に搭載されることを特徴とする請求項１から４の何れか１項に記載のテレビ受信機。
【請求項６】
前記携帯電話機は、
前記通信部が所定の移動体通信網と接続され、該移動体通信網を介して、前記アクセス権のあるテレビアプリケーションにより実現されるテレビ放送の視聴を可能とする端末装置であることを特徴とする請求項５記載のテレビ受信機。
【請求項７】
テレビ放送の視聴を実現するために、テレビ放送データを受信して表示するテレビ受信表示部を制御するテレビアプリケーションを、ネットワーク上の通信サーバからダウンロードして実行するテレビアプリケーション制御方法において、
前記テレビ受信表示部へのアクセス権を持つテレビアプリケーションを判別するためのアクセス権情報が含まれたテレビ放送データを受信した場合、前記アクセス権情報を保存するアクセス権情報保存ステップと、
前記通信サーバからダウンロードしたテレビアプリケーションが、テレビ放送の視聴を実現するために起動し、前記テレビ受信表示部へアクセスしようとする場合、前記アクセス権情報保存ステップで保存したアクセス権情報に基づいて、前記起動したテレビアプリケーションが前記テレビ受信表示部へのアクセス権を持つか否かを確認するアクセス権確認ステップと、
前記起動したテレビアプリケーションが前記テレビ受信表示部へのアクセス権を持つ場合は、前記テレビ受信表示部へのアクセスを許可するように制御する制御ステップと、
を有することを特徴とするテレビアプリケーション制御方法。
【請求項８】
前記制御ステップで、前記起動したテレビアプリケーションが前記テレビ受信表示部へアクセスすることを許可するように制御した場合、
テレビ放送局から受信した前記テレビ放送データに基づいて、前記テレビ受信表示部に画像および音声を出力するステップを有することを特徴とする請求項７記載のテレビアプリケーション制御方法。
【請求項９】
前記アクセス権情報保存ステップでは、
前記テレビ放送データ中に含まれている前記アクセス権情報をアクセス権データベースに登録して保存することを特徴とする請求項７または８に記載のテレビアプリケーション制御方法。
【請求項１０】
前記アクセス権情報は、
前記通信サーバからダウンロードしたテレビアプリケーションの配信元である通信サーバを示すドメインリスト、または、前記通信サーバからダウンロードしたテレビアプリケーションの作者を示す作者証明書リストの何れかを含む情報であることを特徴とする請求項７から９の何れか１項に記載のテレビアプリケーション制御方法。
【請求項１１】
携帯電話機で実行されることを特徴とする請求項７から１０の何れか１項に記載のテレビアプリケーション制御方法。
【請求項１２】
前記携帯電話機は、
所定の移動体通信網を介して、前記アクセス権のあるテレビアプリケーションにより実現されるテレビ放送の視聴を可能とする端末装置であることを特徴とする請求項１１記載のテレビアプリケーション制御方法。
【発明の詳細な説明】
【０００１】
【発明の属する技術分野】
本発明は、テレビ受信機およびテレビアプリケーション制御方法に関し、特に、テレビ視聴サービス提供機能へのアクセス権を効率的に管理するテレビ受信機およびテレビアプリケーション制御方法に関する。
【０００２】
【従来の技術】
従来、テレビ制御アプリケーションをダウンロードすることが可能なテレビ受信機において、テレビ制御アプリケーションはテレビ受信機開発メーカーなど悪意をもったソフトを開発しないことが保障された者のみが開発を行う方法が取られており、任意の開発者によるテレビ制御アプリケーション開発は行われていなかった。
【０００３】
【発明が解決しようとする課題】
しかしながら、テレビ視聴サービスの多様化により、多様なテレビ制御アプリケーションを任意の開発者に行わせる場面が出てくる可能性がある。
【０００４】
しかしこうした場合、テレビ放送局側が意図しないテレビアプリケーションを、不法にダウンロードされて利用される危険性がある問題点を伴う。
そこで、テレビ視聴サービスを提供するテレビアプリケーションの利用を、効率且つ有効に限定する何らかの具体的な手法が求められている。
【０００５】
本発明は、アクセス権を効率的に管理するテレビ受信機およびテレビアプリケーション制御方法を提供することを目的とする。
【０００６】
【課題を解決するための手段】
かかる目的を達成するため、本発明の第１のテレビ受信機は、テレビ放送データを受信し、表示するテレビ受信表示部と、ネットワーク上の通信サーバと通信できる通信部と、テレビ放送の視聴を実現するためにテレビ受信表示部を制御するテレビアプリケーションを、通信部を介してダウンロードして実行するテレビアプリケーション制御部と、を備えたテレビ受信機において、テレビアプリケーション制御部は、テレビ受信表示部へのアクセス権を持つテレビアプリケーションを判別するためのアクセス権情報が含まれたテレビ放送データを受信した場合、アクセス権情報を保存しておき、通信部を介してダウンロードしたテレビアプリケーションが、テレビ放送の視聴を実現するために起動し、テレビ受信表示部へアクセスしようとする場合、保存しておいたアクセス権情報に基づいて、起動したテレビアプリケーションがテレビ受信表示部へのアクセス権を持つか否かを確認し、起動したテレビアプリケーションがテレビ受信表示部へのアクセス権を持つ場合は、テレビ受信表示部へのアクセスを許可することを特徴とする。
本発明の第２のテレビ受信機は、本発明の第１のテレビ受信機において、テレビ受信表示部は、テレビ放送局から受信したテレビ放送データに基づいて、画像および音声を出力する機能を有することを特徴とする。
本発明の第３のテレビ受信機は、本発明の第１または第２のテレビ受信機において、テレビアプリケーション制御部は、テレビ放送データ中に含まれているアクセス権情報を登録するアクセス権登録部と、アクセス権登録部により登録されたアクセス権情報を保存しておくアクセス権データベースと、起動したテレビアプリケーションがテレビ受信表示部へのアクセス権を持つか否かを判別するアクセス権確認部と、を有することを特徴とする。
本発明の第４のテレビ受信機は、本発明の第１から第３の何れか１つのテレビ受信機において、アクセス権情報は、通信部を介してダウンロードしたテレビアプリケーションの配信元である通信サーバを示すドメインリスト、または、通信部を介してダウンロードしたテレビアプリケーションの作者を示す作者証明書リストの何れかを含む情報であることを特徴とする。
本発明の第５のテレビ受信機は、本発明の第１から第４の何れか１つのテレビ受信機において、携帯電話機に搭載されることを特徴とする。
本発明の第６のテレビ受信機は、本発明の第５のテレビ受信機において、携帯電話機は、通信部が所定の移動体通信網と接続され、該移動体通信網を介して、アクセス権のあるテレビアプリケーションにより実現されるテレビ放送の視聴を可能とする端末装置であることを特徴とする。
【０００７】
また、本発明の第１のテレビアプリケーション制御方法は、テレビ放送の視聴を実現するために、テレビ放送データを受信して表示するテレビ受信表示部を制御するテレビアプリケーションを、ネットワーク上の通信サーバからダウンロードして実行するテレビアプリケーション制御方法において、テレビ受信表示部へのアクセス権を持つテレビアプリケーションを判別するためのアクセス権情報が含まれたテレビ放送データを受信した場合、アクセス権情報を保存するアクセス権情報保存ステップと、通信サーバからダウンロードしたテレビアプリケーションが、テレビ放送の視聴を実現するために起動し、テレビ受信表示部へアクセスしようとする場合、アクセス権情報保存ステップで保存したアクセス権情報に基づいて、起動したテレビアプリケーションがテレビ受信表示部へのアクセス権を持つか否かを確認するアクセス権確認ステップと、起動したテレビアプリケーションがテレビ受信表示部へのアクセス権を持つ場合は、テレビ受信表示部へのアクセスを許可するように制御する制御ステップと、を有することを特徴とする。
本発明の第２のテレビアプリケーション制御方法は、本発明の第１のテレビアプリケーション制御方法において、制御ステップで、起動したテレビアプリケーションがテレビ受信表示部へアクセスすることを許可するように制御した場合、テレビ放送局から受信したテレビ放送データに基づいて、テレビ受信表示部に画像および音声を出力するステップを有することを特徴とする。
本発明の第３のテレビアプリケーション制御方法は、本発明の第１または第２のテレビアプリケーション制御方法において、アクセス権情報保存ステップでは、テレビ放送データ中に含まれているアクセス権情報をアクセス権データベースに登録して保存することを特徴とする。
本発明の第４のテレビアプリケーション制御方法は、本発明の第１から第３の何れか１つのテレビアプリケーション制御方法において、アクセス権情報は、通信サーバからダウンロードしたテレビアプリケーションの配信元である通信サーバを示すドメインリスト、または、通信サーバからダウンロードしたテレビアプリケーションの作者を示す作者証明書リストの何れかを含む情報であることを特徴とする。
本発明の第５のテレビアプリケーション制御方法は、本発明の第１から第４の何れか１つのテレビアプリケーション制御方法において、携帯電話機で実行されることを特徴とする。
本発明の第６のテレビアプリケーション制御方法は、本発明の第５のテレビアプリケーション制御方法において、携帯電話機は、所定の移動体通信網を介して、アクセス権のあるテレビアプリケーションにより実現されるテレビ放送の視聴を可能とする端末装置であることを特徴とする。
【０００９】
【発明の実施の形態】
次に、添付図面を参照して本発明によるテレビ受信機およびテレビアプリケーション制御方法の実施の形態を詳細に説明する。図１から図５を参照すると、本発明のテレビ受信機およびテレビアプリケーション制御方法の一実施形態が示されている。図１および図２は第１の実施例、図３は第２の実施例、図４は第３の実施例、図５は第４の実施例、のそれぞれに適用される図である。
【００１０】
本発明は、ネットワーク上の通信サーバからソフトウェアプログラムをダウンロードして実行することが可能なテレビ受信機に関する。たとえば、テレビ放送データ中に埋め込んだ付加情報データ中にテレビ視聴サービス提供機能を利用できるソフトウェアプログラムの判別情報を入れ、動作しているソフトウェアプログラムの情報とこの判別情報とを比較することで、テレビ視聴サービス提供機能を利用することができるソフトウェアプログラムを制限する。この結果、テレビ放送局側の意図しない使われ方を防ぐことを可能にする。本構成の構成の内容を以下に詳述する。
【００１１】
図１に本発明の実施例の構成図を示す。また、図２にテレビアプリケーションの管理手順の一例を示す。
図１を参照すると、本発明の第１の実施例は、テレビ受信機１００、該テレビ受信機１００とネットワーク１０８を介して接続された通信サーバ１０９、およびテレビ放送局１１１から構成されている。なお、テレビ放送局１１１からテレビ受信機１００へは、アクセス権情報が放送される。
【００１２】
テレビ受信機１００は、テレビ受信表示部１０１、アクセス権登録部１０２、アクセス権データベース１０３、アクセス権確認部１０４、アプリケーションダウンロード・管理部１０６、通信部１０７とを有する。
【００１３】
テレビ受信表示部１０１は、テレビ放送局１１１から放送されるテレビ放送を受信して画像および音声を出力する機能と、放送信号に含まれる付加データをテレビアプリケーションに伝える機能を有する。
【００１４】
アクセス権登録部１０２は、放送データ中に含まれているアクセス権情報をアクセス権データベース１０３に登録する機能を有する。
【００１５】
アクセス権確認部１０４は、アクセス権データベース１０３を参照し、アクセスされたテレビアプリケーション１０５のテレビ受信表示部１０１へのアクセス権があるか否かを判別し、アクセス権のないテレビアプリケーションへの要求を拒絶する機能を有する。
【００１６】
アプリケーションダウンロード・管理部１０６は、通信部１０７を使い、ネットワーク１０８を介して、通信サーバ１０９上にあるテレビアプリケーション１１０をダウンロードしてテレビ受信機１００内に格納し、起動する機能を有する。
【００１７】
なお、本実施例においては、放送データ中に含まれているアクセス権情報を登録するアクセス権登録部１０２と、テレビアプリケーション１０５へのアクセス権を登録するアクセス権データベース１０３と、テレビアプリケーション１０５にテレビ受信表示部１０１へのアクセス権があるか否かを判別するアクセス権確認部１０４と、通信サーバ１０９上にあるテレビアプリケーション１００をダウンロードしてテレビ受信機１００内に格納し、起動する機能を有するアプリケーションダウンロード・管理部１０６を含み、テレビアプリケーション制御部と称する。
【００１８】
（動作）
図１および図２において、テレビ放送局１１１は、テレビ受信機１００のテレビ受信表示部１０１にアクセスしてよいテレビアプリケーションを判別する情報を、アクセス権情報としてテレビ放送と共に放送する。
【００１９】
テレビ受信表示部１０１は、テレビ放送局１１１からの放送データを受信し、放送データ中に含まれているアクセス権情報を抽出し、アクセス権登録部１０２に通知する。
【００２０】
アクセス権登録部１０２は、受け取ったアクセス権情報をアクセス権データベース１０３に格納する。テレビ放送局１１１が複数のアクセス権情報を放送すれば、テレビ受信機１００内のアクセス権データベース１０３には複数個のアクセス権情報が格納されることになる。
【００２１】
一方、テレビ受信機１００はアプリケーションダウンロード・管理部１０６を使い、必要な、あるいは利用したいテレビアプリケーション１０５をネットワ−ク１０８上の通信サーバ１０９からダウンロードし、テレビ受信機１００内に格納する。
【００２２】
テレビ受信機１００は、テレビ視聴要求があると、格納されているテレビアプリケーション１０５を起動する。テレビアプリケーション１０５は、テレビ視聴機能の実現（図２参照）の為にテレビ受信表示部１０１の機能を利用しようとするが、その際、アクセス権確認部１０４の確認を求める。
【００２３】
アクセス権確認部１０４は、アクセス権データベース１０３を参照し、当該テレビアプリケーション１０５がアクセス権を持っているかどうかの確認を行う。この確認において、テレビアプリケーションがアクセス権を持っていればテレビ受信表示部１０１の機能をテレビアプリケーションに開放し、アクセス権を持っていなければ要求を拒否する。
【００２４】
アクセス権を持つテレビアプリケーション１０５は、テレビ受信表示１０１の機能を用いてテレビ視聴サービスを行う。以上の方式を採ることで、テレビ放送局１１１が放送したアクセス権情報に該当するテレビアプリケーションのみを、テレビ視聴サービスとして提供することが可能となる。
【００２５】
（効果）
第１に、テレビ局の意図しないテレビ視聴サービスの提供を防ぐことが可能となる。その理由は、本発明により、テレビ局がテレビ受信機内のテレビ視聴機能を制御し、利用できるテレビアプリケーションを特定することが可能になるからである。
【００２６】
（第２の実施例）図３に発明の第２の実施例の構成を示す。本第２の実施例では、上記した実施例のテレビ受信機として、携帯電話機にテレビ受信機能を持たせた携帯電話端末機で、移動体通信網を介してネットワーク上のサーバと通信を行う。これにより、テレビアプリケーションにより実現されるテレビ放送の視聴を可能とする。
【００２７】
（第３の実施例）
図４に発明の他の実施例３の構成例を示す。上記した実施例のアクセス権情報として、テレビ視聴機能を提供できる通信サーバのドメインリストを用いたものである。アクセス権確認部１０４では、テレビアプリケーション１０５が何処からダウンロードされて来たのかを調べ、アクセス権データベース１０３中のドメインリストと比較することで、アクセス権の確認を行うものである。
【００２８】
（第４の実施例）
図５に発明の第４の実施例の構成を示す。上記した実施例のアクセス権情報として、テレビ視聴機能を提供できるテレビアプリケーションの作者の証明書リストを用いたものである。アクセス権確認部１０４では、テレビアプリケーション１０５の作者証明書を調べ、アクセス権データベース中の作者証明書リストと比較する。このことで、アクセス権の確認を行うものである。
【００２９】
なお、上述の実施形態は本発明の好適な実施の一例である。ただし、これに限定されるものではなく、本発明の要旨を逸脱しない範囲内において種々変形実施が可能である。
【００３０】
【発明の効果】
以上の説明より明らかなように、本発明のテレビ受信機およびテレビアプリケーション制御方法では、テレビ放送データを受信し、表示するテレビ受信表示部と、ネットワーク上の通信サーバと通信できる通信部と、テレビ放送の視聴を実現するためにテレビ受信表示部を制御するテレビアプリケーションを、通信部を介してダウンロードして実行するテレビアプリケーション制御部と、を備えたテレビ受信機において、テレビアプリケーション制御部は、テレビ受信表示部へのアクセス権を持つテレビアプリケーションを判別するためのアクセス権情報が含まれたテレビ放送データを受信した場合、アクセス権情報を保存しておき、通信部を介してダウンロードしたテレビアプリケーションが、テレビ放送の視聴を実現するために起動し、テレビ受信表示部へアクセスしようとする場合、保存しておいたアクセス権情報に基づいて、起動したテレビアプリケーションがテレビ受信表示部へのアクセス権を持つか否かを確認し、起動したテレビアプリケーションがテレビ受信表示部へのアクセス権を持つ場合は、テレビ受信表示部へのアクセスを許可する。このことにより、テレビ視聴機能を利用できるテレビアプリケーションを効率的に制限することができる。
【図面の簡単な説明】
【図１】本発明のテレビ制御アプリケーションにおけるテレビ視聴サービス提供機能へのアクセス制御方式の実施形態に適用されるシステム構成ブロック図である。
【図２】テレビアプリケーションの機能を説明するためのブロック図である。
【図３】第２の実施例に適用されるシステム構成ブロック図である。
【図４】第３の実施例に適用されるシステム構成ブロック図である。
【図５】第４の実施例に適用されるシステム構成ブロック図である。
【符号の説明】
１００  テレビ受信機
１０１  テレビ受信表示部
１０２  アクセス権登録部
１０３  アクセス権データベース
１０４  アクセス権確認部
１０５  テレビアプリケーション
１０６  アプリケーションダウンロード・管理部
１０７  通信部
１０８  ネットワーク
１０９  通信サーバ
１１０  テレビアプリケーション
１１１  テレビ放送局
【図１】
0004045805.tif 000002
【図２】
0004045805.tif 000003
【図３】
0004045805.tif 000004
【図４】
0004045805.tif 000005
【図５】
0004045805.tif 000006